(57)【特許請求の範囲】
【請求項１】
電柱からほぼ水平に延びる腕金に対し複数本の棒状アンテナを取付けるための棒状アンテナ取付金具であって、
長尺把持板と、アングル板と、短尺把持板とを有し、
長尺把持板は、上下両側面とその間の中継側面とからなる断面コ字状であって、上下両側面の長手方向の両側にはそれぞれ棒状アンテナを挟持するためのアンテナ挟持部を設け、中継側面には、アングル板と短尺把持板をボルトにより連結するためのボルト孔が設けられており、
アングル板は、腕金の上側面に接する水平面と、長尺把持板の中継側面の背面側に接する垂直面とからなる断面Ｌ字状であって、水平面のほぼ中央には腕金の上側面とボルトにより結合するためのボルト孔が設けられている一方、垂直面の両側には、長尺把持板の中継側面の背面側とボルトにより結合するためのボルト孔が設けられ、
短尺把持板は、上下両側面とその間の中継側面とからなる断面コ字状であって、上下両側面の長手方向のほぼ中間に、取付けるべき棒状アンテナの外径に応じたアンテナ挟持溝部を設ける一方、中継側面には、アンテナ挟持溝部の両側をボルトが通るようにボルト孔を設け、棒状アンテナを介し長尺把持板のアンテナ挟持溝部に対向して設けられることを特徴とする棒状アンテナ取付金具。
【請求項２】
請求項１記載の棒状アンテナ取付金具において、
長尺把持板のアンテナ挟持部は、大径の棒状アンテナの外径に応じた平面視半円形状のアンテナ挟持溝部であり、
短尺把持板には、大径の棒状アンテナ用の大径アンテナ把持板と、小径の棒状アンテナ用の小径アンテナ把持板とがあって、大径アンテナ把持板と小径アンテナ把持板のアンテナ挟持溝部は、それぞれ、大径の棒状アンテナと小径の棒状アンテナの外径に応じた平面視半円形状であって、かつ、小径アンテナ把持板のアンテナ挟持溝部は、大径アンテナ把持板のアンテナ挟持溝部よりも溝が深く、棒状アンテナとの接触部分が多いことを特徴とする棒状アンテナ取付金具。
【請求項３】
請求項１または請求項２記載の棒状アンテナ取付金具を使用した径の異なるアンテナの取付方法であって、
腕金の上側面とアングル板の水平面のボルト孔を合わせてボルトにより腕金とアングル板とを連結すると共に、アングル板の垂直面と長尺把持板の中継側面の背面側のボルト孔を合わせてボルトによりアングル板と長尺把持板とを連結することにより、アングル板を介し腕金に長尺把持板を固定し、
その長尺把持板に大径の棒状アンテナを取付ける場合には、長尺把持板の上下両側面のアンテナ挟持部と短尺把持板の上下両側面のアンテナ挟持溝部とにより大径の棒状アンテナを挟持すると共に、長尺把持板および短尺把持板の中継側面のボルト孔にボルトを通して大径の棒状アンテナの両側を挟持することにより大径の棒状アンテナを取付け、
その長尺把持板に小径の棒状アンテナを取付ける場合には、長尺把持板の中継側面の背面側と短尺把持板の上下両側面のアンテナ挟持溝部とにより小径の棒状アンテナを挟持すると共に、長尺把持板および短尺把持板の中継側面のボルト孔にボルトを通して小径の棒状アンテナの両側を挟持することにより小径の棒状アンテナを取付けることを特徴とする棒状アンテナ取付金具を使用した径の異なるアンテナの取付方法。
【発明の詳細な説明】
【技術分野】
【０００１】
本発明は、腕金に対し複数本の棒状アンテナを取付けるための棒状アンテナ取付金具に関する。
【背景技術】
【０００２】
携帯電話の基地局や中継局等のアンテナとしては、ポール（棒）状のアンテナ（以下、棒状アンテナという。）が利用されており、腕金になるべく多くの棒状アンテナを設置することが要求されている。そのため、腕金に対し複数本の棒状アンテナを取付けるための棒状アンテナ取付金具として、例えば、電柱の上端部にバンド体によって支柱を取付け、その支柱の上端に一対の腕金を互いに直交させて取付け、その腕金先端の支持腕部の両端に把持金具を溶接等して取付けて、その把持金具に棒状アンテナを支持させて、腕金の両側に２本の棒状アンテナを取付けるものが提案されている（例えば、特許文献１参照。）。
【先行技術文献】
【特許文献】
【０００３】
【特許文献１】特開２０００−１３４０１４号公報
【発明の概要】
【発明が解決しようとする課題】
【０００４】
ところで、前述の従来の棒状アンテナ取付金具では、腕金に対し複数本の棒状アンテナを取付けることができるものの、腕金先端には腕金に直交する支持腕部を予め設け、その支持腕部の両端には把持金具を溶接等して予め取付けているというように、腕金と支持腕部と把持金具とが予め一体に構成されているため、棒状アンテナ取付金具の保管や運搬の際には、広いスペースが必要であるという問題があった。
【０００５】
また、支持腕部の両端に溶接等して予め取付けておいた把持金具は、取付けるべき棒状アンテナの外径に応じて湾曲させているため、異なる外径の棒状アンテナを取付ける場合は、把持金具と一体の腕金や支持腕部までも交換しなければならず、効率が良くないという問題もあった。
【０００６】
そこで、本発明は、このような問題に着目してなされたもので、保管や運搬の際に広いスペースを不要とすると共に、取付けるべき棒状アンテナの外径が変わった場合でも腕金や腕金に直交する部材までも交換する必要のない棒状アンテナ取付金具、およびその金具を使用した径の異なる棒状アンテナの取付方法を提供することを目的とする。
【課題を解決するための手段】
【０００７】
上記課題を解決するため、本発明に係る棒状アンテナ取付金具は、電柱からほぼ水平に延びる腕金に対し複数本の棒状アンテナを取付けるための棒状アンテナ取付金具であって、長尺把持板と、アングル板と、短尺把持板とを有し、長尺把持板は、上下両側面とその間の中継側面とからなる断面コ字状であって、上下両側面の長手方向の両側にはそれぞれ棒状アンテナを挟持するためのアンテナ挟持部を設け、中継側面には、アングル板と短尺把持板をボルトにより連結するためのボルト孔が設けられており、アングル板は、腕金の上側面に接する水平面と、長尺把持板の中継側面の背面側に接する垂直面とからなる断面Ｌ字状であって、水平面のほぼ中央には腕金の上側面とボルトにより結合するためのボルト孔が設けられている一方、垂直面の両側には、長尺把持板の中継側面の背面側とボルトにより結合するためのボルト孔が設けられ、短尺把持板は、上下両側面とその間の中継側面とからなる断面コ字状であって、上下両側面の長手方向のほぼ中間に、取付けるべき棒状アンテナの外径に応じたアンテナ挟持溝部を設ける一方、中継側面には、アンテナ挟持溝部の両側をボルトが通るようにボルト孔を設け、棒状アンテナを介し長尺把持板のアンテナ挟持溝部に対向して設けられることを特徴とする。
ここで、長尺把持板のアンテナ挟持部は、大径の棒状アンテナの外径に応じた平面視半円形状のアンテナ挟持溝部であり、短尺把持板には、大径の棒状アンテナ用の大径アンテナ把持板と、小径の棒状アンテナ用の小径アンテナ把持板とがあって、大径アンテナ把持板と小径アンテナ把持板のアンテナ挟持溝部は、それぞれ、大径の棒状アンテナと小径の棒状アンテナの外径に応じた平面視半円形状であって、かつ、小径アンテナ把持板のアンテナ挟持溝部は、大径アンテナ把持板のアンテナ挟持溝部よりも溝が深く、棒状アンテナとの接触部分が多いようにすると良い。
また、上述の棒状アンテナ取付金具を使用した本発明に係るアンテナの取付方法は、腕金の上側面とアングル板の水平面のボルト孔を合わせてボルトにより腕金とアングル板とを連結すると共に、アングル板の垂直面と長尺把持板の中継側面の背面側のボルト孔を合わせてボルトによりアングル板と長尺把持板とを連結することにより、アングル板を介し腕金に長尺把持板を固定し、その長尺把持板に大径の棒状アンテナを取付ける場合には、長尺把持板の上下両側面のアンテナ挟持部と短尺把持板の上下両側面のアンテナ挟持溝部とにより大径の棒状アンテナを挟持すると共に、長尺把持板および短尺把持板の中継側面のボルト孔にボルトを通して大径の棒状アンテナの両側を挟持することにより大径の棒状アンテナを取付け、その長尺把持板に小径の棒状アンテナを取付ける場合には、長尺把持板の中継側面の背面側と短尺把持板の上下両側面のアンテナ挟持溝部とにより小径の棒状アンテナを挟持すると共に、長尺把持板および短尺把持板の中継側面のボルト孔にボルトを通して小径の棒状アンテナの両側を挟持することにより小径の棒状アンテナを取付けることを特徴とする。
【発明の効果】
【０００８】
本発明の棒状アンテナ取付金具、およびその金具を使用した径の異なる棒状アンテナの取付方法によれば、腕金と、長尺把持板と、アングル板と、短尺把持板とをそれぞれ独立した別部材で構成したため、保管や運搬の際に広いスペースが不要になる。また、取付けるべき棒状アンテナの外径が変わった場合には、その外径に合った短尺把持板のみ交換して、腕金や腕金に直交する部材である長尺把持板、さらには腕金に長尺把持板を固定するためのアングル板は交換せずにそのまま使用できるため、部品の効率が非常に向上する。
【図面の簡単な説明】
【０００９】
【図１】本発明に係る棒状アンテナ取付金具を使用して腕金に２本の大径の棒状アンテナを取付けた状態の斜視図である。
【図２】（ａ），（ｂ）それぞれ、この棒状アンテナ取付金具を使用して腕金に２本の大径の棒状アンテナを取付けた状態の平面図、正面図である。
【図３】この棒状アンテナ取付金具を使用して腕金に２本の大径の棒状アンテナを取付けた状態の右側面図である。
【図４】この棒状アンテナ取付金具を使用して腕金に２本の小径の棒状アンテナを取付けた状態の斜視図である。
【図５】（ａ），（ｂ）それぞれ、この棒状アンテナ取付金具を使用して腕金に２本の小径の棒状アンテナを取付けた状態を示す平面図、正面図である。
【図６】この棒状アンテナ取付金具を使用して腕金に２本の小径の棒状アンテナを取付けた状態の右側面図である。
【図７】（ａ）〜（ｄ）それぞれ、この棒状アンテナ取付金具を構成する長尺把持板の斜視図、平面図、正面図、右側面図である。
【図８】（ａ）〜（ｄ）それぞれ、この棒状アンテナ取付金具を構成するアングル板の斜視図、平面図、正面図、右側面図である。
【図９】（ａ）〜（ｄ）それぞれ、この棒状アンテナ取付金具を構成する大径アンテナ把持板の斜視図、平面図、正面図、右側面図である。
【図１０】（ａ）〜（ｄ）それぞれ、この棒状アンテナ取付金具を構成する小径アンテナ把持板の斜視図、平面図、正面図、右側面図である。
【図１１】アングル板の代わりに支柱把持板を使用して支柱に２本の大径の棒状アンテナを取付けた状態の斜視図である。
【図１２】（ａ）〜（ｄ）それぞれ、図１１に示す支柱把持板の斜視図、平面図、正面図、右側面図である。
【発明を実施するための形態】
【００１０】
以下、本発明にかかる棒状アンテナ取付金具の実施形態について、図面を参照して説明する。
【００１１】
本発明にかかる棒状アンテナ取付金具は、腕金に対し複数本の棒状アンテナを取付けるための棒状アンテナ取付金具であって、例えば、図１〜図６に示すように、腕金２の上端部に、大径の棒状アンテナ（以下、大径アンテナと略す場合もある。）３１と小径の棒状アンテナ（以下、小径アンテナと略す場合もある。）３２とのいずれか一方を、腕金２とは独立した別の部材により２本ずつ取付けるように構成されている。つまり、この棒状アンテナ取付金具１は、長尺把持板１１と、アングル板１２と、２個ずつ用意した大径アンテナ把持板１３，１３および小径アンテナ把持板１４，１４という、腕金２とは別の独立した部材と、これらを固定する角根ボルト４１およびナット４２により、腕金２の両側に大径アンテナ３１または小径アンテナ３２を１本ずつ取付けるように構成されている。ここで、長尺把持板１１の長手方向の長さは、図２や図５等に示すように、アングル板１２と大径アンテナ把持板１３の２個分の長さ、またはアングル板１２と小径アンテナ把持板１４の２個分の長さよりやや長くして、長尺把持板１１の両側から大径アンテナ把持板１３や小径アンテナ把持板１４の端部が突出しないようにしている。
【００１２】
長尺把持板１１は、図７（ａ）〜（ｄ）に示すように、上下両側面１１１，１１２とその間の中継側面１１３とからなる断面コ字状であって、上下両側面１１１，１１２の長手方向の左右両側に、アンテナ挟持部として、それぞれ取付けようとする大径アンテナ３１の外径に応じた例えば平面視半円形状のアンテナ挟持溝部（以下、大径アンテナ挟持溝部という。）１１１ｂ，１１２ｂを設けている。また、この長尺把持板１１は、腕金２だけでなく、後述する図１１に示すように支柱３にも取付けることができるように、上下両側面１１１，１１２の長手方向のほぼ中間に、支柱３の外径に応じた例えば平面視Ｖ溝形状の支柱挟持溝部１１１ａ，１１２ａを設けている。なお、この支柱挟持溝部１１１ａ，１１２ａは、平面視Ｖ溝形状に限らず、平面視半円形状の溝などでも良く、また支柱３への取付けを考慮しない場合には、省略できる。
【００１３】
長尺把持板１１の中継側面１１３には、後述するように断面Ｌ字形状のアングル板１２を介して腕金２に固定できるように、アングル板用ボルト孔１１３ａ，１１３ａが設けられている一方、大径アンテナ３１または小径アンテナ３２を挟む形で対向配置した大径アンテナ把持板１３，１３（図１〜図３参照。）または小径アンテナ把持板１４，１４（図４〜図６参照。）とにより大径アンテナ３１または小径アンテナ３２を挟持して固定できるように、大径アンテナ３１の外径以上に離間した２つのアンテナ挟持板用ボルト孔１１３ｂ，１１３ｂが両側に設けられている。
【００１４】
ここで、アンテナ挟持板用ボルト孔１１３ｂ，１１３ｂは、正方形のボルト孔であるのに対し、アングル板用ボルト孔１１３ａ，１１３ａは、横長の長方形のボルト孔にしている。これは、腕金２における多少の外径の誤差を吸収すると共に、ラチェットスパナ等の工具の装着および動作領域を確保したり、さらには、この金具１を腕金２ではなく、後述する図１２示すような腕金２よりもボルト孔間隔が広い支柱把持板１５を使用して、この支柱把持板１５の支柱挟持溝部１１１ａ，１１２ａと、長尺把持板１１の支柱挟持溝部１１１ａ，１１２ａとにより、後述する図１１に示すように支柱３に固定できるようにするためである。なお、アングル板用ボルト孔１１３ａ，１１３ａおよびアンテナ挟持板用ボルト孔１１３ｂ，１１３ｂも円形状ではなく、四角形状であるので、それらのボルト孔に挿入するボルトとして角根ボルト４１を使用している。
【００１５】
アングル板１２は、図８（ａ）〜（ｄ）に示すように、腕金２の上側面に接する水平面１２１と、長尺把持板１１の中継側面１１３の背面側に接する垂直面１２２とからなる断面Ｌ字状であって、水平面１２１のほぼ中央には腕金２の上側面とボルト４１により結合するための腕金用ボルト孔１２１ａ，１２１ａが２箇所設けられている一方、垂直面１２２の両側には、長尺把持板１１の中継側面１１３の背面側とボルトにより結合するための把持板用ボルト孔１２２ａ，１２２ａが２箇所設けられている。ここで、腕金用ボルト孔１２１ａ，１２１ａは、水平面１２１のほぼ中央に設けられている一方、把持板用ボルト孔１２２ａ，１２２ａは、垂直面１２２の両側に設けられているので、それらのボルト孔にボルト４１を通したり、ナット４２を装着する際に、ラチェットスパナ等の工具が干渉することがなくなり、アングル板１２を介し腕金２に長尺把持板１１を固定する際の作業性が向上する。また、把持板用ボルト孔１２２ａ，１２２ａは丸孔形状であるのに対し、腕金用ボルト孔１２１ａ，１２１ａは、正方形状である。これにより、図１〜図３に示すように、把持板用ボルト孔１２２ａ，１２２ａ側にナット４２が位置しても、腕金用ボルト孔１２１ａ，１２１ａ側には角根ボルト４１の頭部を配置させ、腕金２の底面側（下側）に配置させることが可能となるので、この点でもラチェットスパナ等の工具が挿入し易くなり、アングル板１２を介し腕金２に長尺把持板１１を固定する際の作業性が向上する。
【００１６】
大径アンテナ把持板１３は、図９（ａ）〜（ｄ）に示すように、上下両側面１３１，１３２とその間の中継側面１３３とからなる断面コ字状であって、上下両側面１３１，１３２の長手方向のほぼ中間に、大径の棒状アンテナ３１の外径に応じた平面視半円形状のアンテナ挟持溝部（以下、大径アンテナ挟持溝部という。）１３１ａ，１３２ａを設けている。また、中継側面１３３には、大径アンテナ３１の外径以上離間した角穴形状のボルト孔１３３ａ，１３３ａを設けている。
【００１７】
小径アンテナ把持板１４は、図１０（ａ）〜（ｄ）に示すように、上下両側面１４１，１４２とその間の中継側面１４３とからなる断面コ字状であって、上下両側面１４１，１４２の長手方向のほぼ中間に、小径の棒状アンテナ３２の外径に応じた平面視半円形状のアンテナ挟持溝部（以下、小径アンテナ挟持溝部という。）１４１ａ，１４２ａを設けていると共に、中継側面１４３には、小径アンテナ３２の外径以上離間した丸孔形状のボルト孔１４３ａ，１４３ａを設けている。
【００１８】
ここで、図２（ｂ）および図５（ｂ）から明らかなように、大径アンテナ把持板１３の中継側面１３３の短手方向（図２（ｂ）上、上下方向）の幅、すなわち上下両側面１３１，１３２間の間隔は、長尺把持板１１の中継側面１１３の同方向の幅とほぼ同じであるのに対し、小径アンテナ把持板１４の中継側面１４３の同方向の幅は、それらの幅より小さくしている。これは、大径アンテナ３１の方が小径アンテナ３２よりも重く、かつ、風などの抵抗も受け易いため、大径アンテナ３１を挟持する大径アンテナ把持板１３の方が小径アンテナ３２を挟持する小径アンテナ把持板１４よりも挟持している棒状アンテナから受ける応力やモーメントが大きくなり、幅を大きくして耐力を大きくする必要があるからである。また、この小径アンテナ３２では、図４や図５（ａ），（ｂ）、図６に示すように、基部側に所定の間隔を開けて上下に３本ずつネジ（ビス）３２ａが設けられており、そのネジ３２ａの頭が表面側に突出しているため、小径アンテナ把持板１４の中継側面１４３の上下方向の幅を狭くして小径アンテナ３２の基部のネジ３２ａの頭が上下から当接するようにして、小径アンテナ３２の落下および抜止め効果を果たすことができる。
【００１９】
また、図９（ｂ）および図１０（ｂ）に示すように、大径アンテナ把持板１３の大径アンテナ挟持溝部１３１ａ，１３２ａと、小径アンテナ把持板１４の小径アンテナ挟持溝部１４１ａ，１４２ａとは、共に平面視半円形状であるものの、小径アンテナ把持板１４の小径アンテナ挟持溝部１４１ａ，１４２ａは、大径アンテナ把持板１３のアンテナ挟持溝部１３１ａ，１３２ａよりも溝が深く大きい、すなわち小径アンテナ挟持溝部１４１ａ，１４２ａの方がその半円形状部分の周長が長く、棒状アンテナとの接触部分が多くしている。なお、この効果については後述する。
【００２０】
次に、上述の棒状アンテナ取付金具１を使用した腕金２への大径アンテナ３１および小径アンテナ３２の取付方法について説明する。
【００２１】
（腕金２への取付け）
この棒状アンテナ取付金具１を腕金２に取付ける場合は、大径アンテナ３１および小径アンテナ３２の場合も同様に、図１〜図６に示すように、まず、腕金２の上側面のボルト孔と、アングル板１２の水平面１２１の腕金用ボルト孔１２１ａ，１２１ａを合わせてそれぞれボルト４１を通して腕金２とアングル板１２とを結合すると共に、アングル板１２の垂直面１２２の把持板用ボルト孔１２２ａ，１２２ａと、長尺把持板１１の中継側面１１３の背面側のボルト孔１１３ａ，１１３ａとを合わせてボルト４１を通してアングル板１２と長尺把持板１１とを結合することにより、アングル板１２を介し腕金２に長尺把持板１１を固定する。その際、上述したように、アングル板１２の把持板用ボルト孔１２２ａ，１２２ａ側にナット４２が位置する一方、腕金用ボルト孔１２１ａ，１２１ａ側には角根ボルト４１の頭部が位置するので、ラチェットスパナ等の工具が干渉せず挿入し易くなり、アングル板１２を介し腕金２に長尺把持板１１を固定する際の作業性が向上する。
【００２２】
（大径アンテナ３１の取付け）
そして、この金具１により２本の大径アンテナ３１，３１を取付ける場合は、図１〜図３に示すように、長尺把持板１１の上下両側面１１１，１１２の大径アンテナ挟持溝部１１１ｂ，１１２ｂと、大径アンテナ把持板１３，１３の上下両側面１１１，１１２の大径アンテナ挟持溝部１１１ｂ，１１２ｂとにより大径アンテナ３１，３１を挟持する。次に、長尺把持板１１の中継側面１１３のアンテナ挟持板用ボルト孔１１３ｂ，１１３ｂ（図７（ｃ）参照。）と、大径アンテナ把持板１３，１３の中継側面１３３のボルト孔１３３ａ，１３３ａ（図９（ｃ）参照。）に角根ボルト４１を通しナット４２により締め付けて大径アンテナ３１の両側を挟持することにより２本の大径アンテナ３１，３１を取付けることができる。
【００２３】
ここで、図１〜図３に示すように、アングル板１２を介し腕金２に長尺把持板１１を固定する場合、角根ボルト４１の頭部は長尺把持板１１側に位置するのに対し、長尺把持板１１と大径アンテナ把持板１３とにより大径アンテナ３１を挟持する場合も、角根ボルト４１の頭部は長尺把持板１１側に位置して、角根ボルト４１が反対の方向を向くことになる。そのため、大径アンテナ３１の取付けの場合も、近接する角根ボルト４１ではナット４２が長尺把持板１１を介して反対側に配設され、しかもナット４２は長尺把持板１１の上下両側面１１１，１１２や大径アンテナ把持板１３の上下両側面１３１,１３２の間に位置しないので、ラチェットスパナ等の工具が挿入および操作し易くなり、ナット４２の締付け作業が容易になり、作業性が向上する。
【００２４】
（小径アンテナ３２の取付け）
一方、この金具１により２本の小径アンテナ３２，３２を取付ける場合は、図４〜図６に示すように、長尺把持板１１の中継側面１１３の背面と、小径アンテナ把持板１４，１４の上下両側面１４１，１４２の小径アンテナ挟持溝部１４１ａ，１４２ａとにより小径アンテナ３２，３２を挟持する。そして、長尺把持板１１の中継側面１１３のアンテナ挟持板用ボルト孔１１３ｂ，１１３ｂ（図７（ｃ）参照。）と、小径アンテナ把持板１４，１４の中継側面１４３のボルト孔１４３ａ，１４３ａ（図１０（ｃ）参照。）に角根ボルト４１を通しナット４２により締め付けて小径アンテナ３２の両側を挟持することにより２本の小径アンテナ３２，３２を取付ける。
【００２５】
ここで、図４〜図６に示すように、アングル板１２を介し腕金２に長尺把持板１１を固定する場合、および長尺把持板１１と小径アンテナ把持板１４とにより小径アンテナ３２を挟持する場合、角根ボルト４１の頭部は長尺把持板１１の上下両側面１１１，１１２間に位置して、両場合ともナット４２は、長尺把持板１１の中継側面１１３の背面側に位置することになる。そのため、ナット４２を回転させるラチェットスパナ等の工具が挿入および操作し易くなり、ナット４２の締付け作業が容易になる。
【００２６】
従って、この棒状アンテナ取付金具１、およびその金具１を使用した径の異なる棒状アンテナの取付方法によれば、アングル板１２と、長尺把持板１１と、大径アンテナ把持板１３および小径アンテナ把持板１４とをそれぞれ腕金２とは独立した別部材で構成したため、前述した従来の棒状アンテナ取付金具とは異なり、保管や運搬の際に広いスペースが不要になる。
【００２７】
また、取付けるべき棒状アンテナの外径が大径アンテナ３１と小径アンテナ３２というように変わった場合でも、その外径に合った大径アンテナ把持板１３と小径アンテナ把持板１４のみを交換すれば、腕金２や腕金２に直交する部材である長尺把持板１１、さらには腕金２に長尺把持板１１を固定するためのアングル板１２は交換せずにそのまま使用できるため、部品の効率が非常に向上する。
【００２８】
また、この棒状アンテナ取付金具１では、図９（ａ），（ｂ）と図１０（ａ），（ｂ）とを比較すれば明らかな通り、大径アンテナ把持板１３の大径アンテナ挟持溝部１３１ａ，１３２ａと、小径アンテナ把持板１４の小径アンテナ挟持溝部１４１ａ，１４２ａとは、共に平面視半円形状であるものの、小径アンテナ把持板１４の小径アンテナ挟持溝部１４１ａ，１４２ａは、大径アンテナ把持板１３のアンテナ挟持溝部１３１ａ，１３２ａよりも溝を深く大きくして、小径アンテナ挟持溝部１４１ａ，１４２ａの半円形状部分の周長を長くすることにより棒状アンテナとの接触部分を多く、すなわち長くしている。
【００２９】
これは、大径アンテナ３１を取付ける場合は、図１〜図３に示すように、長尺把持板１１の上下両側面１１１，１１２の大径アンテナ挟持溝部１１１ｂ，１１２ｂと、大径アンテナ把持板１３，１３の上下両側面１１１，１１２の大径アンテナ挟持溝部１１１ｂ，１１２ｂとにより大径アンテナ３１を挟持するため、大径アンテナ３１の外周面に接触して挟持している部分は、長尺把持板１１の大径アンテナ挟持溝部１１１ｂ，１１２ｂと、大径アンテナ把持板１３，１３の大径アンテナ挟持溝部１１１ｂ，１１２ｂとの双方となる。
【００３０】
これに対し、小径アンテナ３２を取付ける場合は、図４〜図６に示すように、長尺把持板１１の中継側面１１３の背面と、小径アンテナ把持板１４，１４の上下両側面１４１，１４２の小径アンテナ挟持溝部１４１ａ，１４２ａとにより小径アンテナ３２を挟持するため、長尺把持板１１の中継側面１１３の背面と小径アンテナ３２との接触部分は、平面視ではほとんど点の状態になって短くなり、長尺把持板１１側のその挟持力ないしは摩擦力が弱くなるため、それを小径アンテナ把持板１４，１４の小径アンテナ挟持溝部１４１ａ，１４２ａにより補うためである。
【００３１】
その結果、この棒状アンテナ取付金具１によれば、小径アンテナ３２を挟持するために、長尺把持板１１の大径アンテナ挟持溝部１１１ｂ，１１２ｂではなく、中継側面１１３の背面を使用しつつも、大径アンテナ３１の挟持の場合と同等の挟持力ないしは摩擦力を確保できるため、小径アンテナ３２も大径アンテナ３１と同等に挟持することが可能となる。
【００３２】
なお、この棒状アンテナ取付金具１は、アングル板１２を使用して腕金２に長尺把持板１１を固定するため、本来的には長尺把持板１１の上下両側面１１１，１１２の支柱挟持溝部１１１ａ，１１２ａは不要であるが、例えば、図１１に示すように、腕金２でなく支柱３に対し取付ける場合には、アングル板１２の代わりに図１２に示すような腕金２よりもボルト孔間隔が広い支柱把持板１５を使用して、この支柱把持板１５の支柱挟持溝部１５１ａ，１５２ａと、長尺把持板１１の支柱挟持溝部１１１ａ，１１２ａとにより支柱３を挟持して支柱３に固定する。支柱把持板１５は、図１２（ａ）〜（ｄ）に示すように、上下両側面１５１，１５２とその間の中継側面１５３とからなる断面コ字状であって、上下両側面１５１，１５２の長手方向のほぼ中間に支柱３に当接する平面視Ｖ溝形状の支柱挟持溝部１５１ａ，１５２ａを設ける一方、中継側面１１３には、支柱３の外径以上離間した２つのボルト孔１５３ａ，１５３ａを設けている。そのため、図１１に示すように長尺把持板１１の平面視Ｖ溝形状の支柱挟持溝部１１１ａ，１１５ａと、支柱把持板１５の平面視Ｖ溝形状の支柱挟持溝部１５１ａ，１５２ａとにより支柱３を両側から挟持して、この金具１を支柱３の上部に固定するので、支柱３の外径が多少変更されても、平面視Ｖ溝形状の支柱挟持溝部１１１ａ，１１５ａと支柱挟持溝部１５１ａ，１５２ａとにより対応して、支柱３を確実かつ均等に挟持することが可能となる。
【００３３】
また、この棒状アンテナ取付金具１により、大径アンテナ３１を２本、または小径アンテナ３２を２本というように、１本の腕金２に同径の棒状アンテナを２本取付けるように説明したが、本発明では、これに限らず、１本の腕金２に同径の棒状アンテナを３本以上取付けるようにしても良いし、さらには、１本の腕金２に異径の棒状アンテナ、例えば、大径アンテナ３１と小径アンテナ３２とを１本ずつ取付けるようにしても良い。ただし、１本の腕金２に同径の棒状アンテナを３本以上取付ける場合には、長尺把持板１１もその分長くなり、大径アンテナ把持板１３や小径アンテナ把持板１４もその棒状アンテナの本数だけ用意する必要がある。また、１本の腕金２に、例えば、大径アンテナ３１と小径アンテナ３２とを１本ずつ取付ける場合には、長尺把持板１１の一方側では、大径アンテナ３１を長尺把持板１１の上下両側面１１１，１１２の大径アンテナ挟持溝部１１１ｂ，１１２ｂと、大径アンテナ把持板１３の上下両側面１１１，１１２の大径アンテナ挟持溝部１１１ｂ，１１２ｂとにより大径アンテナ３１を固定する一方、長尺把持板１１の他方側では、長尺把持板１１の中継側面１１３の背面と、小径アンテナ把持板１４の上下両側面１４１，１４２の小径アンテナ挟持溝部１４１ａ，１４２ａとにより小径アンテナ３２を挟持することになる。
【００３４】
また、この棒状アンテナ取付金具１では、長尺把持板１１の左右両側にアンテナ挟持部として大径アンテナ挟持溝部１１１ｂ，１１２ｂを設けて説明したが、本発明では、必ずしも大径アンテナ挟持溝部１１１ｂ，１１２ｂを設ける必要はなく、省略しても良い。ただし、省略した場合には、長尺把持板１１と大径アンテナ３１との接触部分が少なくなるので、小径アンテナ把持板１４の小径アンテナ挟持溝部１４１ａ，１４２ａと同様に、大径アンテナ把持板１３の大径アンテナ挟持溝部１３１ａ，１３２ａを深く、ないしは大きくして、大径アンテナ把持板１３と大径アンテナ３１との接触部分が多くなるようにすると良い。
【００３５】
また、上記の説明では、断面が方形状の腕金２に大径アンテナ３１または小径アンテナ３２を複数本取付けるものとして説明したが、本発明では、これに限らず、断面が円形状の腕金２に大径アンテナ３１または小径アンテナ３２を複数本取付ける場合にも適用可能である。ただし、この場合には、アングル板１２の水平面１２１をその腕金２の外形に合わせて湾曲させると良い。
【符号の説明】
【００３６】
１  棒状アンテナ取付金具
１１  長尺把持板
１１１ｂ，１１２ｂ  大径アンテナ挟持溝部（アンテナ挟持部）
１２  アングル板
１３  大径アンテナ把持板
１３１ａ，１３２ａ  大径アンテナ挟持溝部
１４  小径アンテナ把持板
１４１ａ，１４２ａ  小径アンテナ挟持溝部
１５  支柱把持板
２  腕金
３  支柱
３１  大径アンテナ
３２  小径アンテナ
４１  角根ボルト
４２  ナット
【図１】
0005696100.tif 000002
【図２】
0005696100.tif 000003
【図３】
0005696100.tif 000004
【図４】
0005696100.tif 000005
【図５】
0005696100.tif 000006
【図６】
0005696100.tif 000007
【図７】
0005696100.tif 000008
【図８】
0005696100.tif 000009
【図９】
0005696100.tif 000010
【図１０】
0005696100.tif 000011
【図１１】
0005696100.tif 000012
【図１２】
0005696100.tif 000013